(57)【要約】      （修正有）【課題】地面掘削機における３次元パスに沿って平行のロープ、ケーブル、あるいはパイプの束を効果的に誘導する。【解決手段】平行のロープ、ケーブル、あるいはパイプの束を地面掘削機中の３次元パスに沿って誘導するための器械であって、地面掘削機はロープなどの巻上装置９の顆粒に少なくとも２組の誘導綱車５、７が備えられた形式のものであり、前記２組の誘導綱車５、７のうちの少なくもと１組の誘導綱車７が異なる直径の綱車から組み立てられている。【選択図】図４
2010189886.tif 000002
【特許請求の範囲】
【請求項１】
平行のロープ、ケーブル、あるいはパイプの束を地面掘削機中の３次元（あるいは平面でない）パス（ｐａｔｈ）に沿って誘導するための器械であって、前記地面掘削機はロープなどの巻上装置（９）の顆粒に少なくとも２組の誘導綱車（５、７）が備えられた形式のものであり、前記２組の誘導綱車（５、７）のうちの少なくもと１組の誘導綱車（７）が異なる直径の綱車から組み立てられていることを特徴とする器械。
【請求項２】
前記の異なる直径の誘導綱車（７）はお互いに平行に接地されており、そしてそれぞれの基本の直径もつ概して円錐型の表面を有することを特徴とする請求項１記載の器械。
【請求項３】
前記異なる直径の誘導綱車（７）は互いに平行に設置されており、そして概して樽型の表面（凸面のトーリック表面）によって構成されていることを特徴とする請求項１記載の器械。
【請求項４】
前記異なる直径の誘導綱車（７）は互いに平行に設置されており、そして概して鞍型の表面（凹面のトーリック表面）によって構成されていることを特徴とする請求項１記載の器械。
【請求項５】
前記各組の誘導綱車（５、７）それぞれが、それぞれ同じ軸に備えつけられていることを特徴とする請求項１記載の器械。
【請求項６】
垂直のパイプの束（４）は、最初に円筒型の誘導綱車（５）の組によって、前記束（４）の面に接線の方向（６）に平行に接する面の中にあるように、誘導され、そしてそれから希望する傾斜方向（８）にそれを誘導する異なる直径の１組誘導綱車（７）によって誘導され、巻上装置（９）の位置に沿って方向づけられる面に前記束を保持することを特徴とする請求項１記載の器械。
【請求項７】
前記異なる直径の誘導綱車（７）の組の綱車に共通の軸が、巻上装置（９）の（巻上げドラム）の軸に水平でもなく平行でもなく、一方円筒型の誘導綱車（５）の組の軸が巻上装置（９）の軸に水平であり平行ではないことを特徴とする請求項６記載の器械。
【請求項８】
前記円錐型の誘導綱車の組への入口におけるパイプの束（１、６）と、前記円錐型の誘導綱車の組からの出口におけるパイプの束（３、８）が、それぞれの面にあることを特徴とする請求項２記載の器械。
【請求項９】
前記異なる直径の誘導綱車の組への入口におけるパイプの束（１、６）と、前記異なる直径の誘導綱車の組からの出口におけるパイプの束（３、８）が、それぞれの円筒型の表面にあることを特徴とする請求項３あるいは請求項４記載の器械。
【発明の詳細な説明】
【技術分野】
【０００１】
本発明の対象とする様態は地面掘削機における３次元パス（ｐａｔｈ）に沿って平行のロープ、ケーブル、あるいはパイプの束を誘導するための器械である。
【０００２】
地面掘削機の分野でしばしば遭遇する課題の一つは水力学的動力源で穴内に設置される器具の一部を外から穴へ供給することを含んでいる。
【０００３】
ある場合において、数多くの可撓性のパイプが穴から抜き出されそして挿入されなければならなく、そして巻上げドラムに集められる束を整然とできるだけ配列されるように考察される。
【０００４】
同様な方法で、可撓性パイプあるいはホースと同様の配置そして動作で、懸架そして操作のための鉄鋼製ケーブルおよびデータ制御および／あるいは送信のための電気ケーブルを備えつけることができる。
【０００５】
望ましい、しかし制限されないで、明細書および図面を参照する実施態様を形成する特殊なケースで、穴は垂直でそして面に設置された平行のパイプの少なくとも一つの束を要求し、束は地面掘削機の部品を穴に垂直に降ろしそして地面移動機に設置された個々の巻上ドラムから緩められそしてドラムに巻上げられる。
【０００６】
最も明白な解決は、個々のパイプに対して穴中のパイプの軸を通り抜けそして綱車と巻上機との左右対称の面を構成する垂直の面にあるパスをもつことである。この方法で、平行なパイプは平行な面にパスをもち、そして垂直なパイプは前記平行な面に直角な単一面にある。
【０００７】
異なるパイプが、別々でありそして収束する垂直の面のパスで、穴の軸の方向に収束するような解決が同様に明らかである。
【０００８】
欧州の特許ＥＰ−０８４３０５０は器具の部品が、巻上機そしてそれぞれの綱車と同様な方法で、平行軸をもつ巻上げドラムそしてドラムの軸に平行な密接する軸をもつ誘導綱車をが備えられたこれらのケースの１つを記述している。
【０００９】
面のパスで接触する機械の部品がある場合、あるいはお互いに接触することができる異なるパスでパイプの種々な束を提供することが必要であるならば、パスの面に関して直交しない共通面の束の３次元パスおよび配置を可能とする解決が、選択の広い自由度で、有効であることが解る。
【００１０】
この型のアプローチは、平行部材の面の束に設置された水力学的パイプ、鉄鋼製ケーブル、電気ケーブルそして同様のもののような可撓性部材の配置そしてパスの種々な問題点の解決に良い程度の柔軟性を与える。
【００１１】
本発明はこの型の解決を目的としておりそして、特に、回転の同じ軸に設置されるがしかし異なる直径の１組の平行の綱車の創作に基本がおかれる；綱車の基本的直径は円錐型の表面を構成する面に望ましくは配置される。
【００１２】
本発明によって提案される解決の手段によって、平行でそして共通の面のパイプは、円錐に対して接線である面に沿って綱車に到達しそして他の接線の面に沿って出る。入口および出口の方向は綱車の適当な巻上げを可能とするために、綱車の左右対称の面に位置せねばならない；しかしながら、入ってくるおよび出て行く束の面は、同じ直径の綱車の場合と違って、綱車の軸に平行でない。
【００１３】
円錐型の口径の角度、巻上げの角度および軸の位置を変えることにより、希望するように配置を創ることが可能である。２組の綱車、少なくとも異なる直径のその１組を組み合わせることにより、いかなる接触も防ぎ、機械の構造に従うため等々に有益な３次元パスが得られる。
【００１４】
上記およびさらに以下のことからもっと明らかに理解される利点を得るために、本発明は、地面掘削機の３次元（あるいは平面でない）パスに沿って平行のロープ、ケーブルあるいはパイプの束を誘導するための器械の供給を提案し、前記器械は少なくとも２組の平行の綱車を描き、少なくともそれの１組は異なる直径の綱車から組立てられることを特徴としている。
【００１５】
図面に付け加えられた面を参照して、本発明に従う器械の説明をする。
ここで：
【図面の簡単な説明】
【００１６】
【図１】本発明に一致して、円錐型に沿って増加する直径の１組の綱車を示す図である。
【図２】本発明に従う、樽型によって構成される異なる直径の１組の綱車を示す図である。
【図３】“円錐型の”組および“円筒型の”組で、３次元パスに沿ってパイプを誘導するための配置の上部平面図である。
【図４】同じ配置の上方からの透視図である。
【図５】穴掘り機における望ましい配置図である。
【００１７】
図１を参照して、本発明により提案される解決の手段によって、平行でそして共通面のパイプの束１は円錐型にパイプの束の接線の面２に沿って誘導綱車７に達しそしてパイプの束の他の接線の面３に沿って出て行く。入口および出口の方向は、綱車上に適当な巻上げを可能とするために、綱車の左右対称な面にある；しかしながら入ってきてそして出て行くパイプの束の接線の面２および３は、同じ直径の綱車の場合と異なり、綱車の軸に平行ではない。
【００１８】
図２は同様の解決を示し、そこでは誘導網車７の直径はパイプの束１’の入ってきてそして出て行く束がトーリック（ｔｏｒｉｃ）表面に接線である円筒型のパイプの束の接線の面２’そして３’上にあるようなトーリック（樽型）の表面によって構成されている。
【００１９】
図３および図４そして垂直穴開けの場合を参照して、パイプの垂直のパイプの束４は、パイプの束４の平面に直交の方向６に水平に接近した面の誘導綱車５の円筒型の組によって、誘導される。次に、誘導綱車７の円錐型の組は、希望する傾斜方向８に巻上装置９の位置に沿って方向づけられる面に束を維持するよう誘導する。
【００２０】
図１および図２と図３および図４の比較から、異なる直径の綱車の組は常に７によって明示され、図１および図２のパイプの束１および１’の束は図３および図４のパイプの束６に相当し、一方図１および図２のパイプの束の他の接線の面３および３’の束は図３および図４の束８に相当する。
【００２１】
垂直のパイプ４の束を含む面が、巻上装置９から２つの誘導装置の綱車の共通の軸へ出口にある面に関して異なる方法で方向づけられることは注目される。
【００２２】
機械は穴開け機の異なる位置に設置された巻上げシステムをもつパイプの種々な束の穿孔軸上にしばしば収束する。図５はお互いに平行な２つの面の垂直のパイプの２つの束、そして中央のパイプを示す。
【００２３】
図３および４の図を参照して、誘導装置５および誘導装置７を通り過ぎた後、巻上機９に巻き上げられる垂直のパイプ４の束は注目される。
【００２４】
さらに、図５の機械で誘導装置２２を通り過ぎた後、巻上機４２に巻き上げられるパイプ１２の垂直の束は注目される；最終的に、誘導綱車２３を通り過ぎた後、巻上機４３に巻き上げられる中央のパイプの束１３は注目される。
【００２５】
上記の配置はシステム自身の格子状アーム５１、その支索５２、スタンド５３、操作ロープ５４で、そしてパイプ間のいかなる接触をも防ぐ。
【００２６】
従って、本発明の課題はお互いに平行に設置される綱車の１組であるがしかし基本的な直径が概して円錐型の表面に設置されるような直径を増加する１組である。
【００２７】
このように、実施例の方法によって、パイプの束が９０度それる場合において、前記パイプの束は、パイプが円錐型の半分の口径に等しい角度だけパイプの最初の方向に関して傾斜面にある平行で垂直な束として入りそして出るので水平でそして平行である。
【００２８】
図３，図４および図５の型状を参照して、円錐型の組の綱車の共通の軸は巻上げドラムの軸と水平でもなく平行でもなく、一方円筒型の組の軸は水平であるが平行でない。
【００２９】
本発明を基本とする発明のアイデアの範囲から逸脱することなく、異なる直径の綱車は同軸ではないがしかし平行軸をもつか、あるいは入るあるいは出るパイプの束は単一の面になく、あるいは異なる直径の綱車は図１のような概して円錐型の表面、しかしむしろ図２のよう樽型の表面（凸面のトーリック表面）、あるいはそのほかに鞍型の表面（凹面のトーリック表面）によって再び構成されない。
【符号の説明】
【００３０】
１、１’、６、１３  パイプの束（ｔｈｅ  ｂｕｎｄｌｅｓ  ｏｆ  ｐｉｐｅｓ）
２、２’            パイプの束の接線の面（ｐｌａｎｅ  ｔａｎｇｅｎｔｉａｌ  ｏｆ  ｔｈｅ  ｂｕｎｄｌｅｓ  ｏｆ  ｐｉｐｅｓ）
３、３’            パイプの束の他の接線の面（ａｎｏｔｈｅｒ  ｐｌａｎｅ  ｔａｎｇｅｎｔｉａｌ  ｏｆ  ｔｈｅ  ｂｕｎｄｌｅｓ  ｏｆ  ｐｉｐｅｓ）
４、１２            垂直のパイプの束（ｔｈｅ  ｂｕｎｄｌｅｓ  ｏｆ  ｔｈｅ  ｖｅｒｔｉｃａｌ  ｐｉｐｅｓ）
５、７              誘導綱車（ｇｕｉｄｉｎｇ  ｓｈｅａｖｅｓ）
８                  傾斜方向（ｓｋｅｗ  ｄｉｒｅｃｔｉｏｎ）
９                  巻上装置（ｗｉｎｄｅｒ  ａｓｓｅｍｂｌｙ）
２２                誘導装置
２３                誘導綱車
４２、４３          巻上機
５１                格子状アーム
５２                支索
５３                スタンド
５４                操作ロープ
【図１】
2010189886.tif 000003
【図２】
2010189886.tif 000004
【図３】
2010189886.tif 000005
【図４】
2010189886.tif 000006
【図５】
2010189886.tif 000007